(57)【要約】【課題】  貸ロッカーの扉に付けられる広告を、従来にない新しいシステムによる広告態様とすることにより、従来にない新規な広告ビジネスを展開することを可能にした広告システムを提供すること。【解決手段】  駅構内やスポーツ施設などに設置されている貸しロッカー１，２の扉面を、絵，写真，文字などによる広告，観光キャンペーン，広報などを印刷したフィルムで着脱可能に覆ってラッピングロッカー1L，2Lを形成すると共に、前記フィルムを任意に設定したインターバルにおいて取替えるようにした広告システムにおいて、前記ラッピングロッカー1L，2Lの所在地（アドレス），広告面積又は個々のロッカー個数，広告期間，広告料，スポンサーなどの各情報のデータを紐付けしてコンピュータ４に読出し，書込み自在に格納しておき、少なくとも広告期間又は広告料を当該コンピュータ４において管理するようにしたこと。【選択図】図１
2009036821.tif 000002
【特許請求の範囲】
【請求項１】
駅構内やスポーツ施設などに設置されている貸しロッカーの扉面を、絵，写真，文字などによる広告，観光キャンペーン，広報などを印刷したフィルムで着脱可能に覆ってラッピングロッカーを形成すると共に、前記フィルムを任意に設定したインターバルにおいて取替えるようにした広告システムにおいて、前記ラッピングロッカーの所在地（アドレス），広告面積又は個々のロッカー個数，広告期間，広告料，スポンサーなどの各情報のデータを紐付けしてコンピュータに読出し，書込み自在に格納しておき、少なくとも広告期間又は広告料を当該コンピュータにおいて管理するようにしたことを特徴とする貸ロッカーの広告システム。
【請求項２】
請求項１の広告システムにおいて、ラッピングロッカーごとに、夫々のアドレスと各ラッピングロッカーで使用している広告フィルムの面積又は個々のロッカー個数を示すフィルムコードとを紐付けして広告ベースデータを形成しコンピュータに記憶させ、各広告ベースデータに紐付けして、暦データに設定される広告期間と各スポンサー（広告主）のデータを書換え可能に前記コンピュータに記憶させておき、当該コンピュータに各ラッピングロッカーごとに先に使用した広告フィルムに対して設定した広告期間が満了したら、広告フィルムの取替えに要する時間を加味して、次に使用する広告フィルムの広告期間を設定して広告をスタートさせるとき、前記取替えに要する時間において当該次の広告フィルムにより当該貸ロッカーをラッピングロッカーに形成する請求項１の貸ロッカーの広告システム。
【請求項３】
扉のラッピングに使用する広告フィルムの面積、又は/及び、当該フィルムをラッピングロッカーに使用した広告期間に基づいて少なくとも広告料を前記コンピュータに演算させ、当該広告のスポンサーに通知する請求項１又は２の貸ロッカーの広告システム。
【請求項４】
ラッピングロッカーと広告スポンサーと前記コンピュータとは、インターネットを含む通信回線によって接続されている請求項１〜３のいずれかの貸ロッカーの広告システム。
【請求項５】
印刷フィルムに代え広告などの印刷プレートを、個々のロッカーにおける扉の外面に挿脱式で装着する請求項１〜４のいずれかの貸ロッカーの広告システム。
【請求項６】
印刷フィルム又は印刷プレートによる広告等の表示は、当該貸しロッカー全体における扉全体の正面において形成するか、又は、任意の複数個の扉、若しくは、個々の扉の単位において形成する請求項１〜５のいずれかの貸ロッカーの広告システム。
【発明の詳細な説明】
【技術分野】
【０００１】
本発明は駅のコンコースや地下街、或は、デパートやその他の商業施設などに設置されている有料式又は無料式の貸ロッカーを利用した広告システムに関する。
【背景技術】
【０００２】
駅のコンコースなどに設置されている貸ロッカーの扉の表面に広告等を取付けたり表示するアイデアは、特許文献１や同２などにより既に公知である。
しかし、特許文献１や同２などにおいて開示されているロッカー広告は、ロッカーの扉に固定的に広告表示を設けるようにした点に止まり、設置されている貸ロッカー全部の扉面を利用して従来にない広告態様を採ることまでは全く想定されていない。
【特許文献１】特開２００４−１０２５２９号公報
【特許文献２】特開平３−１６６６８６号公報
【発明の開示】
【発明が解決しようとする課題】
【０００３】
そこで本発明は、上記のような従来提案されている貸ロッカーの扉に付けられる広告を、従来にない新しいシステムによる広告態様とすることにより、従来にない新規な広告ビジネスを展開することを可能にした広告システムを提供することを、課題とする。
【課題を解決するための手段】
【０００４】
上記課題を解決することを目的としてなされた本発明広告システムの基本的な構成は、駅構内やスポーツ施設などに設置されている貸しロッカーの扉面を、絵，写真，文字などによる広告，観光キャンペーン，広報などを印刷したフィルムで着脱可能に覆ってラッピングロッカーを形成すると共に、前記フィルムを任意に設定したインターバルにおいて取替えるようにした広告システムにおいて、前記ラッピングロッカーの所在地（アドレス），広告面積又は個々のロッカー個数，広告期間，広告料，スポンサーなどの各情報のデータを紐付けしてコンピュータに読出し，書込み自在に格納しておき、少なくとも広告期間又は広告料を当該コンピュータにおいて管理するようにしたことを特徴とするものである。
【０００５】
本発明広告システムでは、前記ラッピングロッカーごとに、夫々のアドレスと各ラッピングロッカーで使用している広告フィルムの面積又は個々のロッカー個数を示すフィルムコードとを紐付けして広告ベースデータを形成しコンピュータに記憶させ、各広告ベースデータに紐付けして、暦データに設定される広告期間と各スポンサー（広告主）のデータを書換え可能に前記コンピュータに記憶させておき、当該コンピュータに各ラッピングロッカーごとに先に使用した広告フィルムに対して設定した広告期間が満了したら、広告フィルムの取替えに要する時間を加味して、次に使用する広告フィルムの広告期間を設定して広告をスタートさせるとき、前記取替えに要する時間において当該次の広告フィルムにより当該貸ロッカーをラッピングロッカーに形成する。
【０００６】
これにより本発明システムは、貸ロッカーの扉を利用した全く新規な広告ビジネスを展開することができる。これは、上記のラッピングロッカーと広告スポンサーと前記コンピュータとはインターネットを含む通信回線によって接続されているから可能になるのであり、通信機能をもつコンピュータとインターネットなどの通信回線を利用することによって、当該コンピュータと各地の駅などに設置されている数多くの貸ロッカーの利用されていない扉前面のスペースを有効利用する広告ビジネスを、少ない人手であっても省力的に展開することができる。
【発明の効果】
【０００７】
本発明広告システムでは、上記のように広告スポンサーごとに任意に設定できる広告期間の間、駅構内などの貸ロッカーにおける扉全体の前面を当該スポンサーの広告などが印刷表示されたフィルムやプレートで覆ったラッピングロッカーを形成できるようにしたので、広告スポンサーにとっては高い広告効果を期待することができる。また、貸ロッカーの設置主体にとっても、所要の広告期間ごとに当該広告のスポンサーが変るので広告事業としての収益も向上する。
【発明を実施するための最良の形態】
【０００８】
次に、本発明広告システムの一例を、図を参照して説明する。
図１は本発明広告システムの構成の概要を説明するために模式的に示したシステム構成図、図２(a)〜(d)は本発明広告システムに使用するデータベースの一例を説明するための図、図３は本発明広告システムにおける処理例のフローチャート図、図４は各扉の正面に広告プレートを挿脱できるようにした貸しロッカーの要部の正面図、図５は図４のＸ−Ｘ線矢視拡大図、図６は図４，図５の本発明広告システムを適用したラッピングロッカーの一例の正面図である。
【０００９】
まず、図１において、１，２は、例えば、駅構内やデパートなどに設置されている本発明システムを適用する貸ロッカーであるが、貸ロッカーの運営形態は有料式，無料式のいずれであってもよい。また、ロッカーの構造は、例えば一つの筐体に多数の収納区画を形成し、当該各区画の正面開口部に蝶番式などの開閉自在の扉を備えたものであれば足り、また、各扉の施錠システムや施錠構造もどのような施錠システム（例えば、電気錠やテンキー式の錠など）の形態や錠構造（回転置数式錠やシリンダ錠など）であってもよい。
【００１０】
上記の貸ロッカー１，２には、広告を印刷したフィルム（印刷フィルム）を、ロッカー扉の表面（正面）をラッピングするようにして剥離可能に貼着し、本発明システムを適用するラッピングロッカーの一例に形成される。
上記の各ロッカーの扉（乃至はロッカー全体の扉）の全面ラッピングにおいては、各扉ごとフィルムでラッピングするか、貸ロッカー全体の少なくとも正面をラッピングするように覆い、その後、個々の扉について広告フィルムが当該各扉の開閉の邪魔にならないように、各扉周縁におけるフィルムの縁処理をする、のいずれのラッピング形態を採ってもよい。
また、フィルムに印刷される広告の表示態様も、各扉ごとの表示とするか、或は、設置されている貸ロッカー全体の正面に対する表示とするかも、任意に選択することができる。
一例として、広告スペースの１ブロックを、個々のロッカー個数でいうと20個〜50個程度とすることが考えられる。因みに、図６の例は個々のロッカー40個を１つの広告スペースとした例であり、この程度の大きさの広告スペースであると、人の眼に付き易くなるので、高い広告効果が得られる。
上記の形態により広告フィルムによるラッピングを施すことにより、貸ロッカー１と２は、本発明広告システムを適用するラッピングロッカー1Lと同2Lに形成される。本発明広告システムは、このラッピングロッカー1L，2Lと同旨のラッピングロッカーが少なくとも１つあれば成立するが、通常は２以上のラッピングロッカーを対象とする。
【００１１】
上記のラッピングロッカー1L，2Lには、パソコン或はパソコンより小規模のコンピュータのように通信機能を有する端末装置を、当該ラッピングロッカー1L，2Lの端末機1a，2aとして配備し、当該端末機1a，2aはインターネットなどの通信回線３を介して管理センターが運営，管理するサーバーコンピュータ４（以下、サーバー４という）に接続されている。
【００１２】
前記サーバー４は、この例では広告フィルムでラッピングされてラッピングロッカー1L，2Lに形成された貸ロッカーの情報に関する貸ロッカーデータベース4a（以下、貸ロッカーDB4aともいう）と、広告主であるスポンサーについての情報に関するスポンサー（又は広告主）データベース4b（以下、スポンサーDB4bともいう）と、広告データに関する広告データベース4c（以下、広告DB4cともいう）と、料金等に関するデータベース4d（以下、料金DB4dともいう）とを備えている。また、このサーバー４は、前記の各データベース4a〜4dの入出力インターフェースを始めとする制御を行う制御部4eと、前記データベース4a〜4dに対する入，出力データをインターネットなどの通信回線３を介してラッピングロッカー1L，2Lの端末機1a，2a並びに各スポンサー51，52の端末51a，52aとサーバー４の間で通信するための送受信部4fを、少なくとも具備している。
【００１３】
図２(a)〜(b)に例示したように、貸ロッカーDB4aの情報には、一例として当該ラッピングロッカー1L，2Lなどの夫々の所在地を示すアドレスコード、各ロッカー1Lと2Lにおける個々のロッカー区画（個々のロッカー）の個数、各扉の面積、又は、全扉の総面積などを示す面積データが含まれ、かつ、各ラッピングロッカー1Lや2Lごとに、暦データに則した広告時期，広告期間，スポンサー名が含まれているものとする。
スポンサーDB4bの情報には、当該スポンサーの名称，住所，広告担当部署（担当者），連絡先の電話番号，ＦＡＸ番号，Ｅメールアドレスなどのスポンサーデータのほか、当該スポンサーが広告主となるラッピングロッカー1Lや2Lなどのアドレス，広告時期（広告開始日と広告終了日），広告期間（日数），当該広告における広告料金を示すデータなどが含まれている（図２(b)参照）。
広告DB4cの情報には、カレンダーデータ（暦データ）にリンクして各貸ロッカーのアドレスコード、各アドレスに対応した広告面積データと、前記アドレスと暦データにリンクした広告時期とその期間のデータ、並びに、スポンサー名とが含まれている（図２(c)参照）。
広告料金DB4dには、各スポンサーについて、スポンサーデータにリンクした広告をしたラッピングロッカー1Lなどのアドレス、それに紐付けされた広告面積や広告期間のデータ、並びに、と広告料／単位期間（広告料金の単価データ）、及び、広告面積や広告期間などのデータに基づいて積算される広告料金のデータが含まれている（図２(d)参照）。
【００１４】
いま、一例としてラッピングロッカー1Lに、 ’07年７月20日から同年８月20日まで、Ａ社がスポンサーとなってラッピング広告を出すという契約が、サーバー４の運営主体とＡ社の間で成立したとする。
【００１５】
上記契約成立に基づいて、サーバー４には、広告に使用することが決まったラッピングロッカー1Lなどのアドレス，広告時期，広告期間などの契約成立に基づくデータが入力される。この入力を受けて貸ロッカーDB4aのデータからラッピングロッカー1Lのアドレス，広告面積の大きさなどの情報が、また、広告DB4cから広告時期と広告期間の情報が、さらに、広告料金DB4dから広告料金の情報が、それぞれのデータベースから取出され、制御部4eにおいて取出した情報（データ）を並べ替え一緒にリンクし、リンクした各情報が送受信部4fからインターネット３を経由してこのスポンサー51の端末51aに供給される。
【００１６】
一方、貸ロッカー１においては、一例として ’07年７月19日の夜半過ぎから、Ａ社の広告を印刷したラッピング用の広告などを印刷したフィルムで、当該ロッカー１の全扉の全面がラッピングされてラッピングロッカー1Lに化粧する施工が行われる。この施工によりラッピング広告が完成すると ’07年７月20日午前０時（この時刻は任意である）に、当該ラッピングロッカー1Lの端末1aからインターネットなどの通信回線３を経由して、Ａ社がスポンサーになった広告でラッピングされたラッピングロッカー1LによるＡ社の広告がスタートした旨の情報が送受信部4fからサーバー４に入力される。サーバー４では、入力される情報に基づいて、各データベース4a〜4dに必要な事項のデータを格納する。
【００１７】
このようにしてＡ社の広告が表示されたラッピングロッカー1Lにおいて本発明広告システムによる広告がスタートすると、広告DB4cには、ラッピングロッカー1Lのアドレス、その広告の表示面積、広告単価／日、スポンサー名、広告期間などのデータが入力される。広告DB4cに格納されるデータは、広告面積×期間×単価により計算される広告料の演算ベースになる。従って、広告DB4cに入力するデータと同じデータ（スポンサー名と広告料の演算ベースになる各データ）が広告料金DB4dにも入力される。
広告料金DB4dの広告料金データは、広告DB4cにおける広告場所（貸ロッカー１のアドレス），広告期間（暦データ），広告面積のデータ，スポンサーの名前などのデータと紐付けされて、スポンサー51の端末51aにサーバー４から送信される。
【００１８】
一方、Ａ社の広告期間が満了（ ’07年８月20日24時）すると、一例として翌日一日かけてラッピングロッカー1LからＡ社の広告フィルムを外し、次のスポンサーであるＢ社の広告フィルムを当該貸ロッカー１の全扉にラッピングし、ラッピングロッカー1Lにおいて本発明広告システムによるＢ社のラッピング広告を ’07年８月22日０時からスタートできるように準備する。
【００１９】
ラッピングロッカー1LにおけるＢ社をスポンサーとする広告のスタートからその広告の終了までの各データの取扱いは、先に述べたＡ社の広告の場合と同様のデータを、上記Ａ社広告の場合と同様に取扱う。
以下、同様にして各地の貸ロッカーの扉正面全面を広告面とするラッピングロッカー広告を展開し、それぞれのラッピングロッカーによる広告のデータをサーバー４で処理することにより、新規態様での広告をしたいスポンサーと、貸ロッカーの正面を広告スペースとして活用したい当該ロッカーの設置主との利害が一致した新たな態様の広告ビジネスを展開できる。
【００２０】
上記の本発明広告システムの手続などのフローは一例として図３のようになる。まず、ステップS1で貸ロッカー１のアドレスをサーバー４に入力し、その後当該ロッカー１を使用する広告契約が成立したか否かをステップS2で問う。
契約が成立しない場合には、契約が成立するまでステップS1に戻り、契約が成立すると、ステップS3でスポンサー名がコード名で入力される。
次いで、成立した契約内容に基づいて、広告時期と期間がステップS4で入力され、広告料単価がステップS5で入力され、広告料金が演算される（ステップS6）。ここで、契約時の入力を終え、入力された各データは、それぞれ選択されて各データベース4a〜4dに格納される。
この状態で広告期間の満了を待ち（ステップS7）、満了するとスポンサー51や52の端末51aや52aに広告料の請求をする（ステップS8）。広告期間が満了する前は、ステップS3に戻って循環している。
なお、以上の説明は、貸ロッカー１又は２が広告などを印刷した印刷フィルムでラッピングされた例であるが、本発明では図４と図５に例示するように、各ロッカーの扉Ｄに印刷プレートRPを着脱式で取付けるようにしたラッピングロッカーもある。図４と図５において、SPは各扉Ｄの前面に設けた略Ｕ状の透明アクリル製の溝枠、PPは広告プレートRPを押える透明アクリル製の押えプレートであり、これらの部材SP，PPは挿入される広告プレートRPを支持する。図５において、RCは各ロッカーの錠付き引手である。
【産業上の利用可能性】
【００２１】
本発明システムでは、上述のように複数箇所の貸ロッカーにおいて、従来は単なる貸ロッカーであったものを、夫々の貸ロッカーにスポンサーが付いて広告を始めとし様々な表示内容（広報事項や観光写真など）を印刷したフィルムによってラッピングロッカー化するので、各貸ロッカー設置部周辺の雰囲気を良好なものとし、広告主のスポンサーにとっては高い広告効果を期待することができる。またサーバーの運営，管理主体では広告事業としての収益の向上が見込まれるのみならず、貸ロッカー設置部周辺の雰囲気も良好になるので，スポンサーの広告効果，運営主体の事業収益のいずれの面から見ても、きわめて良好な効果をもたらすことができる。
【図面の簡単な説明】
【００２２】
【図１】本発明広告システムの構成の概要を説明するために模式的に示したシステム構成図。
【図２】本発明広告システムのデータベースの一例を説明するための図。
【図３】本発明広告システムにおける処理例のフローチャート図。
【図４】各扉の正面に広告プレートを挿脱できるようにした貸しロッカーの要部の正面図。
【図５】図４のＸ−Ｘ線矢視拡大図。
【図６】図４，図５の本発明広告システムを適用したラッピングロッカーの一例の正面図。
【符号の説明】
【００２３】
１，２    貸ロッカー
1a，2a    端末機
1L，2L    ラッピングロッカー
３        通信回線
４        サーバーコンピュータ
4a〜4d    各データベース
4e        制御部
4f        送受信部
51，52    スポンサー
【図１】
2009036821.tif 000003
【図２】
2009036821.tif 000004
【図３】
2009036821.tif 000005
【図４】
2009036821.tif 000006
【図５】
2009036821.tif 000007
【図６】
2009036821.tif 000008